(57)【要約】【課題】発電機の制御回路の一つとして無効電力一定制御（受電点無効電力と発電点無効電力）回路を用意する時、不足励磁制限回路、過励磁制限回路も必要になってくるが、それぞれに検出器が必要となる。【解決手段】発電機可能出力限界内で励磁制限回路のために界磁電流がどの位の電流値であるかを算出するのではなく、発電機の有効電力の出力値に関係なく、出力可能な無効電力値の０から遅れ側の限界点を決めて、過励磁制限、不足励磁制限の範囲とすることにより、受電無効電力制御、過励磁制御、不足励磁制御の３制御を、受電点無効電力検出と発電点無効電力検出だけで演算制御する。【選択図】図１
2012130117.tif 000002
【特許請求の範囲】
【請求項１】
発電機、発電機側遮断器、変圧器および商用電源側遮断器が直列に商用電源に接続された発電機主回路において、発電機と変圧器の間に接続された発電点無効電力検出器と、変圧器と商用電源との間に接続された受電点無効電力検出器と、受電点無効電力設定器とが、並列に接続された無効電力制御装置から直列に電圧調整器に接続されたことを特徴とする発電機無効電力制御装置。
【請求項２】
前記無効電力制御装置にて、発電機無効電力出力値が所定設定範囲の以内のときには、受電点無効電力検出値と受電点無効電力設定値の偏差を演算する偏差演算回路を経て前記電圧調整器に電圧制御を指令し、発電機無効電力出力値が該所定設定範囲を超えるときには、該所定設定範囲を超えて所定の上限限界値以内または所定の下限限界値以内を判定して前記電圧調整器に電圧制御を指令することを特徴とする請求項１記載の発電機無効電力制御装置。
【発明の詳細な説明】
【技術分野】
【０００１】
本発明は、発電機の不足励磁制限、過励磁制限付の発電機無効電力制御装置に関するものである。
【背景技術】
【０００２】
発電機制御には、主に電圧一定制御、周波数一定制御、電力一定制御、力率一定制御、発電機負荷分担制御、及び力率平衡制御がある。一般に商用電源と連系中は、発電機電力一定制御及び発電機力率一定制御を行うが、発電機による受電点での無効電力一定制御を行うこともある。  発電機力率の制御は、発電機電圧を変化させることによって行うのだが、更に発電機の無効電力一定制御は、力率を無効電力換算しその無効電力の偏差に比例した、発電機出力電圧の制御信号を出す方法である。ここでいう偏差とは、目標値（設定値）と現在値（測定値）の差分のことである。また、発電機は、可能出力限界内の出力（図３の斜線内の部分）を保つ様に、発電機制御をしている自動電圧調整器（ＡＶＲ）で界磁電流制御に不足励磁制限、過励磁制限を装備している。
【先行技術文献】
【特許文献】
【０００３】
【特許文献１】特開２００８−１８２７８９号公報
【特許文献２】特開２００６−１２９６３９号公報
【特許文献３】特開２００２−２６２５９７号公報
【発明の概要】
【発明が解決しようとする課題】
【０００４】
発電機の無効電力一定制御及び不足励磁制限、過励磁制限を設定する場合、発電機可能出力限界内（図３の斜線内の部分）で界磁電流がどの位の電流値であるかを算出する必要がある。また、無効電力一定制御（受電点無効電力と発電点無効電力）、不足励磁制限、過励磁制限それぞれに検出器が必要となる。
【課題を解決するための手段】
【０００５】
請求項１の発明によれば、 発電機、発電機側遮断器、変圧器および商用電源側遮断器が直列に商用電源に接続された発電機主回路において、発電機と変圧器の間に接続された発電点無効電力検出器と、変圧器と商用電源との間に接続された受電点無効電力検出器と、受電点無効電力設定器とが並列に接続された無効電力制御装置から直列に電圧調整器に接続されたことを特徴とする
【０００６】
請求項２の発明によれば、請求項１の発明において前記無効電力制御装置にて、発電機無効電力出力値が所定設定範囲の以内のときには、受電点無効電力検出値と受電点無効電力設定値の偏差を演算する偏差演算回路を経て前記電圧調整器に電圧制御を指令し、発電機無効電力出力値が該所定設定範囲を超えるときには、該所定設定範囲を超えて所定の上限限界値以内または所定の下限限界値以内を判定して前記電圧調整器に電圧制御を指令することを特徴とする。
【０００７】
すなわち、発電機の無効電力制御範囲は、事実上進み無効電力の範囲は無く、０から遅れ無効電力の範囲での制御となる。発電機可能出力限界内で界磁電流がどの位の電流値であるかを算出するのではなく、発電機の有効電力の出力値に関係なく、出力可能な無効電力値の０から遅れ側の限界点を決めて（図３の※１〜※２の範囲）それを、過励磁制限、不足励磁制限の範囲とすることにより、受電点無効電力と発電点無効電力の検出器で済むことになる。
【発明の効果】
【０００８】
発電機可能出力限界内で励磁制限回路のために界磁電流がどの位の電流値であるかを算出するのではなく、発電機の有効電力の出力値に関係なく、出力可能な無効電力値の０から遅れ側の限界点を決めて、過励磁制限、不足励磁制限の範囲とすることにより、受電無効電力制御、過励磁制御、不足励磁制御の３制御を、受電点無効電力検出と発電点無効電力検出だけで演算制御できる。
【図面の簡単な説明】
【０００９】
【図１】本発明の受電点無効電力制御を示すブロック図である。
【図２】本発明の受電点無効電力制御の制御装置内ブロック図である。
【図３】発電機出力可能限界を示す図である。
【発明を実施するための形態】
【００１０】
図１、図２により実施形態を以下に説明をする。
【実施例１】
【００１１】
図１のように、汎用ＰＬＣに受電点無効電力検出値と受電点無効電力設定値と発電点無効電力検出値を取り込み、発電機の無効電力出力可能範囲内で、受電点無効電力検出値と受電点無効電力設定値の偏差分の電圧上げ又は下げ指令を自動電圧調整器（ＡＶＲ）９に与え制御を行う。
【００１２】
図２は、本発明の方法を実施する。発電機の無効電力一定制御及び不足励磁制限、過励磁制限を設定する場合のブロック図である。図２において受電点無効電力検出値１２と受電点無効電力設定値１３及び発電点無効電力検出値１４を無効電力制御装置１０へ取込み、発電機無効電力出力値確認２１により範囲内（「ＹＥＳ」）と確認されると、偏差演算回路１７により検出値と設定値の偏差を求める。偏差量が“−”の時は電圧を下げる方向にパルス制御出力（下げ指令）１９を出し、偏差量が“＋”の時は電圧を上げる方向にパルス制御出力（上げ指令）２０を出力する。発電機無効電力出力値確認２１により範囲外（「ＮＯ」）と確認されると、発電機無効電力値が上限設定値より大きい、すなわち発電機無効電力出力値上限設定値以上２２か、発電機無効電力値が下限設定値より小さい、すなわち発電機無効電力出力値下限設定値以下２３かにより、パルス制御出力（下げ指令）２４又はパルス制御出力（上げ指令）２５を、発電機の無効電力出力範囲内になるように自動電圧調整器（ＡＶＲ）９に入力する。
【産業上の利用可能性】
【００１３】
受電点無効電力制御が必要な場合利用できる。
【符号の説明】
【００１４】
１．商用電源
２．商用電源側遮断器
３．変圧器
４．受配電系統に下がっている負荷
５．発電機側遮断器
６．発電機
７．受電点無効電力検出器
８．発電点無効電力検出器
９．自動電圧調整器（ＡＶＲ）
１０．無効電力制御装置
１１．受電点無効電力設定器
１２．受電点無効電力検出値
１３．受電点無効電力設定値
１４．発電点無効電力検出値
１５．無効電力設定値と検出値との偏差を求める手段
１６．開閉器（偏差演算開始信号）
１７．偏差演算回路
１８．開閉器（演算結果出力可能信号）
１９．パルス制御出力（発電機界磁電流下げ指令）
２０．パルス制御出力（発電機界磁電流上げ指令）
２１．発電機無効電力出力値確認
２２．発電機無効電力出力値上限設定値以上
２３．発電機無効電力出力値下限設定値以下
２４．パルス制御出力（発電機界磁電流下げ指令）
２５．パルス制御出力（発電機界磁電流上げ指令）
【図１】
2012130117.tif 000003
【図２】
2012130117.tif 000004
【図３】
2012130117.tif 000005